(57)【要約】      （修正有）【課題】雄型絶縁ベース、第一雄型信号端子組、第二雄型信号端子組及び第一雄型固持端子を含み、優れた固持効果を有し、大電流に適用可能な基板対基板雄型コネクタを提供する。【解決手段】雄型絶縁ベース１０は第一側壁、第二側壁、第一立壁及び第二立壁を有し、第一側壁は第二側壁に対向し、第一立壁が第二立壁に対向する。第一雄型信号端子組は第一立壁に設置され、第二雄型信号端子組は第二立壁に設置される。第一雄型固持端子１６は第一雄型固持本体及び少なくとも一つの第一嵌入フィンを含み、第一雄型固持本体が第一側壁上に設置され、少なくとも一つの第一嵌入フィンが第一雄型固持本体の少なくとも一側から延伸し、かつ第一側壁に嵌入する。【選択図】図１０
0003206973.tif 000002
【実用新案登録請求の範囲】
【請求項１】
基板対基板雄型コネクタであって、
第一側壁、第二側壁、第一立壁及び第二立壁を有し、かつ前記第一側壁が前記第二側壁と対向し、前記第一立壁が前記第二立壁と対向する雄型絶縁ベースと、
前記第一立壁に設置された第一雄型信号端子組と、
前記第二立壁に設置された第二雄型信号端子組と、
前記第一側壁に設置された第一雄型固持本体、及び前記第一雄型固持本体の少なくとも一側から延伸する少なくとも一つの第一嵌入フィンを有する第一雄型固持端子とを含み、
前記少なくとも一つの第一嵌入フィンが前記第一側壁に嵌入する基板対基板雄型コネクタ。
【請求項２】
前記第一雄型固持本体は第一基板及び第一係止板を含み、前記第一基板が第一雄端係合構造を有し、前記第一係止板が前記第一基板から延伸し、
前記第一係止板と前記第一基板との間に、前記第一側壁と係止するための第一係止溝が形成され、
前記第一雄型固持端子はさらに、前記第一基板から延伸し、かつ回路板にはんだ付けされる第一固持はんだ付け部を有する、請求項１に記載の雄型コネクタ。
【請求項３】
前記雄型コネクタはさらに第二雄型固持端子を含み、
前記第二雄型固持端子は、前記第二側壁上に設置された第二雄型固持本体と、前記第二雄型固持本体から延伸する少なくとも一つの第二嵌入フィンとを含み、
前記少なくとも一つの第二嵌入フィンが前記第二側壁に嵌入して、前記第二雄型固持本体を前記第二側壁上に固定する、請求項１に記載の雄型コネクタ。
【請求項４】
前記第二雄型固持本体は第二基板及び第二係止板を含み、
前記第二基板は第二雄端係合構造を有し、前記第二係止板は前記第二基板から延伸し、
前記第二係止板と前記第二基板との間に、前記第二側壁と係止するための第二係止溝が形成され、
前記第二雄型固持端子はさらに、前記第二基板から延伸し、かつ回路板上にはんだ付けされる第二固持はんだ付け部を含む、請求項３に記載の雄型コネクタ。
【請求項５】
前記第一立壁は第一立壁頂側、第一立壁底側、第一立壁内側及び第一立壁外側を有し、
前記第二立壁は第二立壁頂側、第二立壁底側、第二立壁内側及び第二立壁外側を有し、
前記第一立壁底側と前記第二立壁底側が回路板に面し、前記第一立壁内側が前記第二立壁内側に面し、
前記第一雄型信号端子組は複数の第一雄型信号端子を含み、かつ
各前記第一雄型信号端子は、
前記回路板にはんだ付けされる第一雄型はんだ付け部と、
前記第一雄型はんだ付け部から延伸し、かつ前記第一立壁内側と結合する第一雄型内当接部と、
前記第一雄型内当接部から延伸し、かつ前記第一立壁外側と結合する第一雄型外当接部とを含み、
前記第一雄型外当接部の端縁と前記第一雄型はんだ付け部の上表面との間に隙間があり、前記第一雄型内当接部の幅と前記第一雄型外当接部の幅が前記第一雄型はんだ付け部の幅より大きい、請求項１に記載の雄型コネクタ。
【請求項６】
各前記第一雄型信号端子はさらに、
前記第一雄型はんだ付け部と前記第一雄型内当接部とを接続させ、かつ外部に露出するニッケルめっき層を有する第一雄型底接続部と、
前記第一雄型内当接部から延伸し、かつ前記第一立壁頂側と結合する第一雄型上接続部と、
前記第一雄型上接続部と前記第一雄型外当接部とを接続させる第一雄型湾曲部とを含み、
前記第一雄型湾曲部はアーチ状構造であって、かつ前記第一雄型内当接部に沿って、前記第一雄型外当接部の方向に向かって前記第一雄型外当接部から突出する、請求項５に記載の雄型コネクタ。
【請求項７】
前記第二雄型信号端子組は複数の第二雄型信号端子を含み、
各前記第二雄型信号端子は、
前記回路板にはんだ付けされる第二雄型はんだ付け部と、
前記第二雄型はんだ付け部から延伸し、かつ前記第二立壁内側と結合する第二雄型内当接部と、
前記第二雄型内当接部から延伸し、かつ前記第二立壁外側と結合する第二雄型外当接部とを含み、
前記第二雄型外当接部の端縁と前記第二雄型はんだ付け部の上表面との間に隙間があり、
前記第二雄型内当接部の幅と前記第二雄型外当接部の幅が前記第二雄型はんだ付け部の幅より大きい、請求項５に記載の雄型コネクタ。
【請求項８】
各前記第二雄型信号端子はさらに、
前記第二雄型はんだ付け部と前記第二雄型内当接部を接続させ、かつ外部に露出するニッケルめっき層を有する第二雄型底接続部と、
前記第二雄型内当接部から延伸し、かつ前記第二立壁頂側と結合する第二雄型上接続部と、
前記第二雄型上接続部と前記第二雄型外当接部とを接続させる第二雄型湾曲部とを含み、
前記第二雄型湾曲部はアーチ状構造であって、かつ前記第二雄型内当接部に沿って、前記第二雄型外当接部の方向に向かって前記第二雄型外当接部から突出する、請求項７に記載の雄型コネクタ。
【請求項９】
前記第一側壁、前記第一立壁、前記第二側壁と前記第二立壁が連結し、これに囲まれて雄端挿し込み空間が形成され、
前記第一側壁と前記第一立壁が接合する部分に第一雄端ガイドブロックが設置され、前記第一側壁と前記第二立壁が接合する部分に第二雄端ガイドブロックが設置され、前記第二側壁と前記第一立壁が接合する部分に第三雄端ガイドブロックが設置され、前記第二側壁と前記第二立壁が接合する部分に第四雄端ガイドブロックが設置されている、請求項１に記載の雄型コネクタ。
【請求項１０】
基板対基板型の雌型コネクタであって、
雌型絶縁ベース、第一雌型信号端子組、第二雌型信号端子組と第一雌型固持端子を含み、
前記雌型絶縁ベースは内側壁、第一外側壁、第二外側壁、第一外立壁及び第二外立壁を有し、前記内側壁と前記第一外側壁との間に第一ノッチが形成され、前記内側壁と前記第二外側壁との間に第二ノッチが形成され、前記内側壁と前記第一外立壁との間に第一溝が形成され、前記内側壁と前記第二外立壁との間に第二溝が形成され、
前記第一雌型信号端子組は前記第一溝内に設置され、
前記第二雌型信号端子組は前記第二溝内に設置され、
第一雌型固持端子は、前記第一外側壁上に設置される第一雌型固持本体と、少なくとも一つの第一嵌入爪部品を含み、
前記第一嵌入爪部品は、第一延伸部、第一湾曲部及び第一爪部を有し、前記第一延伸部は前記第一雌型固持本体の一側から延伸し、前記第一湾曲部は前記第一延伸部から延伸し、前記第一爪部は前記第一湾曲部から突出し、
前記第一延伸部と前記第一湾曲部は前記第一外側壁を挟持し、前記第一爪部が前記第一外側壁に嵌入する雌型コネクタ。
【請求項１１】
前記第一雌型固持本体は第一板体及び第一端板を含み、
前記第一端板は第一雌端係合構造を有し、
前記第一端板は前記第一板体から延伸し、
前記第一端板と前記第一板体との間に、前記第一外側壁を挟持するための第一挟持溝が形成される、請求項１０に記載の雌型コネクタ。
【請求項１２】
前記雌型コネクタはさらに第二雌型固持端子を含み、
前記第二雌型固持端子は、前記第二外側壁上に設置される第二雌型固持本体と、少なくとも一つの第二嵌入爪部品とを含み、
前記第二嵌入爪部品は第二延伸部、第二湾曲部及び第二爪部を有し、
前記第二延伸部は前記第二雌型固持本体の一側から延伸し、
前記第二湾曲部は前記第二延伸部から延伸し、
前記第二爪部は前記第二湾曲部から突出し、
前記第二延伸部と前記第二湾曲部は前記第二外側壁を挟持し、
前記第二爪部は前記第二外側壁に嵌入する、請求項１０に記載の雌型コネクタ。
【請求項１３】
前記第二雌型固持本体は第二板体及び第二端板を含み、
前記第二端板は第二雌端係合構造を有し、
前記第二端板は前記第二板体から延伸し、
前記第二端板と前記第二板体との間に、前記第二外側壁を挟持するための第二挟持溝が形成される、請求項１２に記載の雌型コネクタ。
【請求項１４】
前記内側壁は第一内側壁面、第二内側壁面、第三内側壁面及び第四内側壁面を有し、
前記第一外側壁は第一外側壁内側及び第一外側壁外側を有し、前記第二外側壁は第二外側壁内側及び第二外側壁外側を有し、前記第一外立壁は第一外立壁内側及び第一外立壁外側を有し、前記第二外立壁は第二外立壁内側及び第二外立壁外側を有し、
前記第一内側壁面と前記第一外立壁内側が前記第一溝を形成し、前記第二内側壁面と前記第二外立壁内側が前記第二溝を形成し、前記第三内側壁面と前記第一外側壁内側が前記第一ノッチを形成し、前記第四内側壁面と前記第二外側壁内側が前記第二ノッチを形成し、
前記第一雌型信号端子組は複数の第一雌型信号端子を含み、
各前記第一雌型信号端子は、
回路板にはんだ付けされる第一雌型はんだ付け部と、
前記第一雌型はんだ付け部から延伸し、かつ前記第一溝内に突出する第一雌型弾性アームと、
前記第一雌型弾性アームと対向し、かつ前記第一溝内に突出する第一雌型挟持アームとを含む、請求項１０に記載の雌型コネクタ。
【請求項１５】
各前記第一雌型信号端子はさらに、
前記第一雌型弾性アームと前記第一雌型はんだ付け部を接続させ、かつ前記第一外立壁に挿し込まれる第一雌型固持係止突起を有する第一雌型固持部と、
前記第一雌型弾性アームと前記第一雌型挟持アームとを接続させる第一雌型底接続部と、
延伸於前記第一雌型挟持アームの前記第一雌型底接続部から離れた一端から延伸し、かつ前記内側壁内に可動的に設置される第一雌型可動部とを含む、請求項１４に記載の雌型コネクタ。
【請求項１６】
各前記第一雌型信号端子はさらに、
前記第一雌型弾性アーム上に設けられた第一雌型開口と、
前記第一雌型挟持アーム上に設けられた第一雌型溝口とを含み、
前記第一雌型開口と前記第一雌型溝口が連通しない、請求項１４に記載の雌型コネクタ。
【請求項１７】
前記第二雌型信号端子組は複数の第二雌型信号端子を含み、
各前記第二雌型信号端子は、
前記回路板にはんだづけされる第二雌型はんだ付け部と、
前記第二雌型はんだ付け部から延伸し、かつ前記第二溝内に突出する第二雌型弾性アームと、
前記第二雌型弾性アームに対向し、かつ前記第二溝内に突出する第二雌型挟持アームとを含む、請求項１４に記載の雌型コネクタ。
【請求項１８】
各前記第二雌型信号端子はさらに、
前記第二雌型弾性アームと前記第二雌型はんだ付け部とを接続させ、かつ前記第二外立壁に挿し込まれる第二雌型固持係止突起を有する第二雌型固持部と、
前記第二雌型弾性アームと前記第二雌型挟持アームとを接続させる第二雌型底接続部と、
前記第二雌型挟持アームの前記第二雌型底接続部から離れた一端から延伸し、かつ前記内側壁内に可動的に設置される第二雌型可動部とを含む、請求項１７に記載の雌型コネクタ。
【請求項１９】
各前記第二雌型信号端子はさらに、
前記第二雌型弾性アーム上に設けられた第二雌型開口と、
前記第二雌型挟持アーム上に設けられた第二雌型溝口とを含み、
前記第二雌型開口と前記第二雌型溝口が連通しない、請求項１７に記載の雌型コネクタ。
【請求項２０】
前記第一ノッチ、前記第一溝、前記第二ノッチと前記第二溝が連結し、これに囲まれて雌端挿し込み空間が形成され、
前記第一外側壁と前記第一外立壁が接合する部分に第一雌端ガイドブロックが設置され、前記第一外側壁と前記第二外立壁が接合する部分に第二雌端ガイドブロックが設置され、前記第二外側壁と前記第一外立壁が接合する部分に第三雌端ガイドブロックが設置され、前記第二外側壁と前記第二外立壁が接合する部分に第四雌端ガイドブロック設置されている、請求項１０に記載の雌型コネクタ。
【考案の詳細な説明】
【技術分野】
【０００１】
本考案は雄型コネクタ及び雌型コネクタに関し、特に優れた固持効果を有し、かつ大電流に適用可能な基板対基板雄型コネクタ及び基板対基板雌型コネクタに関する。
【背景技術】
【０００２】
従来の基板対基板コネクタセットは、雄型信号端子及び雌型信号端子の結合によって信号伝送を確保し、つまり、従来の基板対基板コネクタは、雌型信号端子が雄型信号端子を弾力的に挟持することのみによって、雌型コネクタと雄型コネクタを固定する。しかし、雄型コネクタ又は雌型コネクタが突然の外力作用を受けた場合、雌型信号端子が雄型信号端子を挟持する力が不十分なため、雄型信号端子が雌型信号端子から抜けることはしばしば発生し、これによって信号が中断され、さらに信号端子が破損する恐れがある。
【考案の概要】
【考案が解決しようとする課題】
【０００３】
従って、上記問題を解決するために、本考案は固持端子を有する基板対基板雄型コネクタ及び基板対基板雌型コネクタを提供する。
【課題を解決するための手段】
【０００４】
上記問題を解決するために、本考案が開示する基板対基板雄型コネクタは、雄型絶縁ベース、第一雄型信号端子組、第二雄型信号端子組及び第一雄型固持端子を含む。前記雄型絶縁ベースは第一側壁、第二側壁、第一立壁及び第二立壁を有し、前記第一側壁が前記第二側壁に対向し、前記第一立壁が前記第二立壁に対向し、前記第一雄型信号端子組が前記第一立壁に設置され、前記第二雄型信号端子組が前記第二立壁に設置される。前記第一雄型固持端子は第一雄型固持本体及び少なくとも一つの第一嵌入フィンを含み、前記第一雄型固持本体が前記第一側壁上に設置され、前記少なくとも一つの第一嵌入フィンが前記第一雄型固持本体の少なくとも一側から延伸し、前記少なくとも一つの第一嵌入フィンが前記第一側壁に嵌入する。
【０００５】
上述問題を解決するために、本考案が開示する基板対基板雌型コネクタは、雌型絶縁ベース、第一雌型信号端子組、第二雌型信号端子組及び第一雌型固持端子を含む。前記雌型絶縁ベースは内側壁、第一外側壁、第二外側壁、第一外立壁及び第二外立壁を有し、前記内側壁と前記第一外側壁との間に第一ノッチが形成され、前記内側壁と前記第二外側壁との間に第二ノッチが形成され、前記内側壁と前記第一外立壁との間に第一溝が形成され、前記内側壁と前記第二外立壁との間に第二溝が形成され、前記第一雌型信号端子組が前記第一溝内に設置され、前記第二雌型信号端子組が前記第二溝内に設置される。前記第一雌型固持端子は第一雌型固持本体及び少なくとも一つの第一嵌入爪部品を含む。前記第一雌型固持本体は前記第一外側壁上に設置され、前記少なくとも一つの第一嵌入爪部品は第一延伸部、第一湾曲部及び第一爪部を有し、前記第一延伸部が前記第一雌型固持本体の一側から延伸し、前記第一湾曲部が前記第一延伸部から延伸し、前記第一爪部が前記第一湾曲部から突出し、前記第一延伸部と前記第一湾曲部が前記第一外側壁を挟持し、前記第一爪部が前記第一外側壁に嵌入する。
【０００６】
以上のように、本考案の雄型コネクタの第一雄型固持端子は第一嵌入フィンによって雄型絶縁ベース上に固定され、かつ雌型コネクタの第一雌型固持端子は第一嵌入爪部品によって雌型絶縁ベース上に固定される。従って、第一雄型固持端子と第一雌型固持端子はそれぞれ雄型絶縁ベースと雌型絶縁ベースに余分な固持力を提供して、雄型コネクタと雌型コネクタとの間の挿抜力を向上させることができる。本考案の上記及びその他の技術内容、特徴と効果を明確に示すよう、以下は図面を参照しながら実施例を詳しく説明する。
【図面の簡単な説明】
【０００７】
【図１】本考案の実施例の雄型コネクタと雌型コネクタの外観概略図である。
【図２】本考案の実施例の雄型コネクタと雌型コネクタの別の視角からの外観概略図である。
【図３】本考案の実施例の雄型コネクタの外観概略図である。
【図４】本考案の実施例の雄型コネクタの分解概略図である。
【図５】本考案の実施例の雄型コネクタの断面概略図である。
【図６】本考案の実施例の雌型コネクタの外観概略図である。
【図７】本考案の実施例の雌型コネクタの分解概略図である。
【図８】本考案の実施例の雌型コネクタの断面概略図である。
【図９】本考案の実施例の雄型コネクタと雌型コネクタが結合された時の断面概略図である。
【図１０】本考案の実施例の雄型コネクタと雌型コネクタが結合された時の別の視角からの断面概略図である。
【考案を実施するための形態】
【０００８】
図１ないし図４を参照すると、図１及び図２は本考案の実施例の雄型コネクタ１と雌型コネクタ２の異なる視角からの外観概略図であり、図３は本考案の実施例の雄型コネクタ１の外観概略図であり、図４は本考案の実施例の雄型コネクタ１の分解概略図である。図１ないし図４が示すように、雄型コネクタ１は雄型絶縁ベース１０、第一雄型信号端子組１２、第二雄型信号端子組１４、第一雄型固持端子１６及び第二雄型固持端子１８を含む。雄型絶縁ベース１０は第一側壁１０１、第二側壁１０３、第一立壁１０５及び第二立壁１０７を有し、第一側壁１０１が第二側壁１０３に対向し、第一立壁１０５が第二立壁１０７に対向し、かつ第一側壁１０１、第一立壁１０５、第二側壁１０３と第二立壁１０７が連結し、これに囲まれて雌型コネクタ２に挿し込むための雄端挿し込み空間１０９が形成されている。
【０００９】
また、第一側壁１０１と第一立壁１０５が接合する部分に第一雄端ガイドブロック１１１が設置され、第一側壁１０１と第二立壁１０７が接合する部分に第二雄端ガイドブロック１１３が設置され、第二側壁１０３と第一立壁１０５が接合する部分に第三雄端ガイドブロック１１５が設置され、第二側壁１０３と第二立壁１０７が接合する部分に第四雄端ガイドブロック１１７がされており、かつ第一雄端ガイドブロック１１１、第二雄端ガイドブロック１１３、第三雄端ガイドブロック１１５及び第四雄端ガイドブロック１１７は、雄型コネクタ１を雌型コネクタ２に挿し込む過程においてガイド及び位置合わせ機能を提供するものである。
【００１０】
図３ないし図５を同時に参照すると、図５は本考案の実施例の雄型コネクタ１の断面概略図である。図３ないし図５が示すように、第一雄型信号端子組１２は第一立壁１０５に設置される三つの第一雄型信号端子１２１を含んでいるが、第一雄型信号端子１２１の数は本実施例に限定されない。さらに、第一立壁１０５は第一立壁頂側１０５０、第一立壁底側１０５２、第一立壁内側１０５４及び第一立壁外側１０５６を有し、第二立壁１０７は第二立壁頂側１０７０、第二立壁底側１０７２、第二立壁内側１０７４及び第二立壁外側１０７６を有し、かつ第一立壁底側１０５２と第二立壁底側１０７２が回路板（図示せず）に面しており、第一立壁内側１０５４が第二立壁内側１０７４に面している。
【００１１】
各第一雄型信号端子１２１は第一雄型はんだ付け部１２１０、第一雄型内当接部１２１２、第一雄型外当接部１２１４、第一雄型底接続部１２１６、第一雄型上接続部１２１８及び第一雄型湾曲部１２２０を含み、第一雄型はんだ付け部１２１０は前記回路板にはんだ付けされ、第一雄型底接続部１２１６は第一雄型はんだ付け部１２１０と第一雄型内当接部１２１２を接続させて、第一雄型内当接部１２１２を第一雄型はんだ付け部１２１０から延伸させ、かつ第一立壁内側１０５４と結合可能にして、第一雄型外当接部１２１４が第一雄型内当接部１２１２から延伸して、かつ第一立壁外側１０５６と結合し、第一雄型上接続部１２１８は第一雄型内当接部１２１２から延伸して、かつ第一立壁頂側１０５０と結合し、第一雄型湾曲部１２２０は第一雄型上接続部１２１８と第一雄型外当接部１２１４を接続させて、これにより、第一雄型外当接部１２１４が第一雄型内当接部１２１２から延伸して、かつ第一立壁外側１０５６と結合可能になる。
【００１２】
第一雄型外当接部１２１４の端縁と第一雄型はんだ付け部１２１０の上表面との間に隙間Ｇ１があり、即ち、第一雄型外当接部１２１４の端縁は第一雄型はんだ付け部１２１０の上表面と接続しておらず、そのため、表面実装技術（Ｓｕｒｆａｃｅ  Ｍｏｕｎｔ  Ｔｅｃｈｎｏｌｏｇｙ、ＳＭＴ）工程を行う際に、隙間Ｇは、はんだが第一雄型はんだ付け部１２１０から第一雄型外当接部１２１４まで上ることを防止できる。さらに、第一雄型底接続部１２１６は外部に露出するニッケルめっき層１２２２を有し、はんだはニッケル層に付着しないため、ニッケルめっき層１２２２は、ＳＭＴ工程を行う際にはんだが第一雄型はんだ付け部１２１０から第一雄型内当接部１２１２まで上ることを防止できる。従って、隙間Ｇ及びニッケルめっき層１２２２は、ＳＭＴ工程における雄型コネクタ１のはんだ上り現象を防止できる。実務上、金属剥離技術を用いて第一雄型底接続部１２１６のニッケル層を被覆する金層を剥離して、ニッケルめっき層１２２２を外部に露出させることができる。
【００１３】
図４が示すように、第一雄型信号端子１２１の第一雄型外当接部１２１４と第一雄型はんだ付け部１２１０に段差があり、即ち、第一雄型内当接部１２１２の幅Ｗ１と第一雄型外当接部１２１４の幅Ｗ２は第一雄型はんだ付け部１２１０の幅Ｗ３より大きい。これにより、第一雄型内当接部１２１２と雌型信号端子の接触面積、又は第一雄型外当接部１２１４と前記雌型信号端子の接触面積が拡大され、さらに第一雄型信号端子１２１と前記雌型信号端子との間の抵抗が低減されるため、第一雄型信号端子１２１はより高い電流を通すことができる。また、第一雄型湾曲部１２２０はキノコヘッド形状の構造体であってもよく、即ち、第一雄型湾曲部１２２０はアーチ状構造であって、かつ第一雄型内当接部１２１２に沿って、第一雄型外当接部１２１４の方向に向かって第一雄型外当接部１２１４から突出することにより、第一雄型信号端子１２１と前記雌型信号端子との間の挿抜力を向上させる。また、本考案の第一雄型信号端子１２１は第一立壁内側１０５４から第一立壁外側１０５６へ湾曲した構造であるため、第一雄型はんだ付け部１２１０のＳＭＴ工程において、はんだ上りの距離が比較的に長くなり、第一雄型信号端子１２１にはんだ上り現象が発生することを有効に防止できる。
【００１４】
同じように、第二雄型信号端子組１４は第二立壁１０７に設置される三つの第二雄型信号端子１４１を含むが、第二雄型信号端子１４１の数は本実施例に限定されない。さらに、各第二雄型信号端子１４１は第二雄型はんだ付け部１４１０、第二雄型内当接部１４１２、第二雄型外当接部１４１４、第二雄型底接続部１４１６、第二雄型上接続部１４１８及び第二雄型湾曲部１４２０を含み、同じく、第二雄型外当接部１４１４の端縁と第二雄型はんだ付け部１４１０の上表面との間に隙間Ｇ２があり、即ち、第二雄型外当接部１４１４の端縁が第二雄型はんだ付け部１４１０の上表面と接触しておらず、かつ第二雄型底接続部１４１６は外部に露出するニッケルめっき層１４２２を有し、また、第二雄型信号端子１４１の第二雄型はんだ付け部１４１０、第二雄型内当接部１４１２、第二雄型外当接部１４１４、第二雄型底接続部１４１６、第二雄型上接続部１４１８及び第二雄型湾曲部１４２０の構造設計及び作用原理は、第一雄型信号端子１２１の第一雄型はんだ付け部１２１０、第一雄型内当接部１２１２、第一雄型外当接部１２１４、第一雄型底接続部１２１６、第一雄型上接続部１２１８及び第一雄型湾曲部１２２０と同じであるため、簡潔の見地より、ここで省略する。
【００１５】
図３及び図４が示すように、第一雄型固持端子１６は第一雄型固持本体１６１及び二つの第一嵌入フィン１６３を含み、第一雄型固持本体１６１は第一側壁１０１上に設置され、第一嵌入フィン１６３は第一雄型固持本体１６１の少なくとも一側から延伸する。さらに、第一雄型固持本体１６１は第一基板１６１０、第一係止板１６１２及び第一固持はんだ付け部１６１４を含み、第一係止板１６１２は第一基板１６１０から延伸し、第一係止板１６１２と第一基板１６１０との間には第一側壁１０１と係止するための第一係止溝１６５が形成され、第一固持はんだ付け部１６１４は第一基板１６１０から延伸し、かつ前記回路板上にはんだ付けされる。第一嵌入フィン１６３は第一側壁１０１に嵌入することが可能であり、このように、第一雄型固持端子１６は第一嵌入フィン１６３及び第一係止溝１６５によって第一側壁１０１と安定して結合して、第一雄型固持端子１６と雄型絶縁ベース１０の固持効果を向上させることができる。さらに、第一基板１６１０は第一雄端係合構造１６１６を有する。本実施例において第一雄端係合構造１６１６が係止溝構造であってもよいが、本考案はこれに限定されない。
【００１６】
同じように、第二雄型固持端子１８は第二雄型固持本体１８１及び二つの第二嵌入フィン１８３を含む。第二雄型固持本体１８１は第二側壁１０３上に設置され、第二嵌入フィン１８３は第二雄型固持本体１８１の少なくとも一側から延伸する。第二雄型固持本体１８１は第二基板１８１０、第二係止板１８１２及び第二固持はんだ付け部１８１４を含む。第二係止板１８１２は第二基板１８１０から延伸し、第二係止板１８１２と第二基板１８１０との間には第二側壁１０３と係止するための第二係止溝１８５が形成され、第二固持はんだ付け部１８１４は第二基板１８１０から延伸し、かつ前記回路板上にはんだ付けされる。第二嵌入フィン１８３は第二側壁１０３に嵌入することが可能であり、このように、第二雄型固持端子１８は第二嵌入フィン１８３及び第二係止溝１８５によって、第二側壁１０３と安定して結合し、第二雄型固持端子１８と雄型絶縁ベース１０の固持効果を向上させることができる。また、第二基板１８１０は第二雄端係合構造１８１６を有する。本実施例において第二雄端係合構造１８１６は係止溝構造であってもよいが、本考案はこれに限定されない。
【００１７】
図１、図２、図６及び図７を参照すると、図６は本考案の実施例の雌型コネクタ２の外観概略図であり、図７は本考案の実施例の雌型コネクタ２の分解概略図である。図１、図２、図６及び図７が示すように、雌型コネクタ２は雌型絶縁ベース２０、第一雌型信号端子組２２、第二雌型信号端子組２４、第一雌型固持端子２６及び第二雌型固持端子２８を含む。雌型絶縁ベース２０は内側壁２０１、第一外側壁２０３、第二外側壁２０５、第一外立壁２０７及び第二外立壁２０９を含み、内側壁２０１と第一外側壁２０３との間に第一ノッチ２１１が形成され、該第一ノッチ２１１は雄型絶縁ベース１０の第一側壁１０１に対応し、内側壁２０１と第二外側壁２０５との間に第二ノッチ２１２が形成され、該第二ノッチ２１２は雄型絶縁ベース１０の第二側壁１０３に対応し、内側壁２０１と第一外立壁２０７との間に第一溝２１３が形成され、該第一溝２１３は雄型絶縁ベース１０の第一立壁１０５に対応し、内側壁２０１と第二外立壁２０９との間に第二溝２１４が形成され、該第二溝２１４は雄型絶縁ベース１０の第二立壁１０７に対応し、かつ第一ノッチ２１１、第一溝２１３、第二ノッチ２１２と第二溝２１４が連結し、これに囲まれて雌端挿し込み空間２１５が形成される。
【００１８】
また、第一外側壁２０３と第一外立壁２０７が接合する部分に第一雌端ガイドブロック２１６が設置され、第一外側壁２０３と第二外立壁２０９が接合する部分に第二雌端ガイドブロック２１７が設置され、第二外側壁２０５と第一外立壁２０７が接合する部分に第三雌端ガイドブロック２１８が設置され、第二外側壁２０５と第二外立壁２０９が接合する部分に第四雌端ガイドブロック２１９が設置され、かつ第一雌端ガイドブロック２１６が第一雄端ガイドブロック１１１に対応し、第二雌端ガイドブロック２１７が第二雄端ガイドブロック１１３に対応し、第三雌端ガイドブロック２１８が第三雄端ガイドブロック１１５に対応し、第四雌端ガイドブロック２１９が第四雄端ガイドブロック１１７に対応する。本実施例において、第一雌端ガイドブロック２１６、第二雌端ガイドブロック２１７、第三雌端ガイドブロック２１８及び第四雌端ガイドブロック２１９はそれぞれ台形ガイド構造であるが(図５及び図６が示すように)、ガイドブロックの構造設計と数は本考案の図面が示すものに限定されず、実際のニーズに応じて決めることができる。
【００１９】
図６ないし図８を同時に参照すると、図８は本考案の実施例の雌型コネクタ２の断面概略図である。図６ないし図８が示すように、第一雌型信号端子組２２は第一溝２１３内に設置される三つの第一雌型信号端子２２１を含む。さらに、内側壁２０１は第一内側壁面２０１０、第二内側壁面２０１２、第三内側壁面２０１４及び第四内側壁面２０１６を有し、第一外側壁２０３は第一外側壁内側２０３０及び第一外側壁外側２０３２を有し、第二外側壁２０５は第二外側壁内側２０５０及び第二外側壁外側２０５２を有し、第一外立壁２０７は第一外立壁内側２０７０及び第一外立壁外側２０７２を有し、第二外立壁２０９は第二外立壁内側２０９０及び第二外立壁外側２０９２を有し、第一内側壁面２０１０と第一外立壁内側２０７０が第一溝２１３を形成し、第二内側壁面２０１２と第二外立壁内側２０９０が第二溝２１４を形成し、第三内側壁面２０１４と第一外側壁内側２０３０が第一ノッチ２１１を形成し、第四内側壁面２０１６と第二外側壁内側２０５０が第二ノッチ２１２を形成する。
【００２０】
各第一雌型信号端子２２１は第一雌型はんだ付け部２２１０、第一雌型固持部２２１１、第一雌型可動部２２１２、第一雌型開口２２１３、第一雌型溝口２２１４、第一雌型弾性アーム２２１５、第一雌型挟持アーム２２１６及び第一雌型底接続部２２１７を含み、第一雌型はんだ付け部２２１０は別の回路板（図示せず）にはんだ付けされ、第一雌型固持部２２１１は第一雌型弾性アーム２２１５と第一雌型はんだ付け部２２１０を接続させて、第一雌型弾性アーム２２１５を第一雌型はんだ付け部２２１０から延伸させ、かつ第一溝２１３内に突出させ、第一雌型固持部２２１１は第一外立壁２０７に挿し込まれる第一雌型固持係止突起２２１８を有し、第一雌型固持部２２１１を第一外立壁２０７に固持し、第一雌型底接続部２２１７は第一雌型弾性アーム２２１５と第一雌型挟持アーム２２１６を接続させて、第一雌型挟持アーム２２１６を第一雌型弾性アーム２２１５に対向させ、かつ第一溝２１３内に突出させ、第一雌型可動部２２１２は第一雌型挟持アーム２２１６の第一雌型底接続部２２１７から離れている一端から延伸し、かつ内側壁２０１内に可動的に設置される。
【００２１】
本実施例において、第一雌型底接続部２２１７は円弧構造であって、第一雌型弾性アーム２２１５、第一雌型底接続部２２１７及び第一雌型挟持アーム２２１６が共同して収納空間を形成し、第一雄型信号端子１２１を収納するようにしてもよいが、第一雌型信号端子２２１の構造は本考案の図面が示すものに限定されない。また、第一雌型開口２２１３は第一雌型弾性アーム２２１５上に設けられ、第一雌型溝口２２１４は第一雌型挟持アーム２２１６上に設けられ、かつ第一雌型開口２２１３と第一雌型溝口２２１４が連通せず、第一雌型開口２２１３は第一雌型弾性アーム２２１５の弾性を向上させるものにあり、第一雌型溝口２２１４は第一雌型挟持アーム２２１６の弾性を向上させるものにあり、第一雌型開口２２１３と第一雌型溝口２２１４の幅及び深さは実際のニーズによって調整できる。
【００２２】
同じように、第二雌型信号端子組２４は第二溝２１４内に設置された三つの第二雌型信号端子２４１を含む。各第二雌型信号端子２４１は第二雌型はんだ付け部２４１０、第二雌型固持部２４１１、第二雌型可動部２４１２、第二雌型開口２４１３、第二雌型溝口２４１４、第二雌型弾性アーム２４１５、第二雌型挟持アーム２４１６及び第二雌型底接続部２４１７を含み、かつ第二雌型固持部２４１１は第二雌型固持係止突起２４１８を有する。第二雌型信号端子２４１の第二雌型はんだ付け部２４１０、第二雌型固持部２４１１、第二雌型可動部２４１２、第二雌型開口２４１３、第二雌型溝口２４１４、第二雌型弾性アーム２４１５、第二雌型挟持アーム２４１６、第二雌型底接続部２４１７及び第二雌型固持係止突起２４１８の構造設計及び作用原理は、第一雌型信号端子２２１の第一雌型はんだ付け部２２１０、第一雌型固持部２２１１、第一雌型可動部２２１２、第一雌型開口２２１３、第一雌型溝口２２１４、第一雌型弾性アーム２２１５、第一雌型挟持アーム２２１６、第一雌型底接続部２２１７及び第一雌型固持係止突起２２１８と同じであるため、簡潔の見地より、ここで省略する。
【００２３】
図６及び図７が示すように、第一雌型固持端子２６は第一雌型固持本体２６１及び二つの第一嵌入爪部品２６３を含むが、第一嵌入爪部品２６３の数は本実施例に限定されず、即ち、第一雌型固持端子２６は一つの第一嵌入爪部品２６３のみを含んでもよい。第一雌型固持本体２６１は前記第一外側壁２０３上に設置され、第一嵌入爪部品２６３は第一延伸部２６３０、第一湾曲部２６３２及び第一爪部２６３４を有し、第一延伸部２６３０は第一雌型固持本体２６１の一側から延伸し、第一湾曲部２６３２は第一延伸部２６３０から延伸し、第一爪部２６３４は第一湾曲部２６３２から突出する。第一雌型固持本体２６１は第一板体２６１０及び第一端板２６１２を含み、第一端板２６１２は第一板体２６１０から延伸する。第一端板２６１２と第一板体２６１０との間には第一外側壁２０３を挟持するための第一挟持溝２６１４が形成され、かつ第一嵌入爪部品２６３の第一延伸部２６３０と第一湾曲部２６３２が第一外側壁２０３を挟持し、第一爪部２６３４が第一外側壁２０３に嵌入され、これによって、第一雌型固持端子２６が第一外側壁２０３と安定して結合される。また、第一端板２６１２は第一雌端係合構造２６１６を有し、本実施例において第一雌端係合構造２６１６が円弧突起構造であってもよいが、本考案はこれに限定されない。
【００２４】
同じように、第二雌型固持端子２８は第二雌型固持本体２８１及び二つの第二嵌入爪部品２８３を含むが、第二嵌入爪部品２８３の数が本実施例に限定されず、即ち、第二雌型固持端子２８は一つの第二嵌入爪部品２８３のみを含んでもよい。第二雌型固持本体２８１は前記第二外側壁２０５上に設置され、第二嵌入爪部品２８３は第二延伸部２８３０、第二湾曲部２８３２及び第二爪部２８３４を有し、第二延伸部２８３０は第二雌型固持本体２８１の一側から延伸し、第二湾曲部２８３２は第二延伸部２８３０から延伸し、第二爪部２８３４は第二湾曲部２８３２から突出する。第二雌型固持本体２８１は第二板体２８１０及び第二端板２８１２を含み、第二端板２８１２は第二板体２８１０から延伸する。第二端板２８１２と第二板体２８１０との間には第二外側壁２０５を挟持するための第二挟持溝２８１４が形成され、第二嵌入爪部品２８３の第二延伸部２８３０と第二湾曲部２８３２が第二外側壁２０５を挟持し、第二爪部２８３４が第二外側壁２０５に嵌入され、これにより、第二雌型固持端子２８が第二外側壁２０５と安定して結合される。また、第二端板２８１２は第二雌端係合構造２８１６を有し、本実施例において第二雌端係合構造２８１６が円弧突起構造であってもよいが、本考案はこれに限定されない。
【００２５】
図１、図２、図９及び図１０を参照する。図９及び図１０は本考案の実施例の雄型コネクタ１と雌型コネクタ２が結合され時の異なる視角からの断面概略図である。雄型コネクタ１を雌型コネクタ２と結合させようとする時、雌型コネクタ２の第一雌端ガイドブロック２１６、第二雌端ガイドブロック２１７、第三雌端ガイドブロック２１８及び第四雌端ガイドブロック２１９をそれぞれ雄型コネクタ１の第一雄端ガイドブロック１１１、第二雄端ガイドブロック１１３、第三雄端ガイドブロック１１５及び第四雄端ガイドブロック１１７に合わせることにより、雄型コネクタ１の雄端挿し込み空間１０９を雌型コネクタ２の内側壁２０１と位置合わせるようにガイドして、かつ雄型コネクタ１の第一側壁１０１、第二側壁１０３、第一立壁１０５及び第二立壁１０７をそれぞれ雌型コネクタ２の雌端挿し込み空間２１５の第一ノッチ２１１、第二ノッチ２１２、第一溝２１３及び第二溝２１４と位置合わせて、さらに、各第一雄型信号端子１２１、各第二雄型信号端子１４１、第一雄型固持端子１６、及び第二雄型固持端子１８をそれぞれ各第一雌型信号端子２２１、各第二雌型信号端子２４１、第一雌型固持端子２６、及び各第二雌型固持端子２８と位置合わせる。
【００２６】
雄型コネクタ１と雌型コネクタ２が結合する時、第一雄型信号端子１２１の第一雄型外当接部１２１４が第一雌型弾性アーム２２１５に当接し、第一雄型信号端子１２１の第一雄型内当接部１２１２が第一雌型挟持アーム２２１６と接触し、かつ第一雌型底接続部２２１７と第一雄型上接続部１２１８とが一定距離離れている(図９が示すように)。つまり、第一雌型信号端子２２１は、第一雌型挟持アーム２２１６及び第一雌型弾性アーム２２１５のみによって、第一雄型信号端子１２１の第一雄型内当接部１２１２と第一雄型外当接部１２１４と接触して、第一雄型信号端子１２１と第一雌型信号端子２２１の結合過程におけるガイド効果及び信頼性を向上させるものである。同じく、第二雄型信号端子１４１の第二雄型外当接部１４１４が第二雌型弾性アーム２４１５に当接し、第二雄型信号端子１４１の第二雄型内当接部１４１２が第二雌型挟持アーム２４１６と接触し、かつ第二雌型底接続部２４１７と第二雄型上接続部１４１８とが一定距離離れている（図９が示すように）。つまり、第二雌型信号端子２４１は、第二雌型挟持アーム２４１６及び第二雌型弾性アーム２４１５のみによって、第二雄型信号端子１４１の第二雄型内当接部１４１２と第二雄型外当接部１４１４と接触し、第二雄型信号端子１４１と第二雌型信号端子２４１の結合過程におけるガイド効果及び信頼性を向上させるものである。
【００２７】
さらに、雄型コネクタ１と雌型コネクタ２が結合した時、第一基板１６１０の第一雄端係合構造１６１６が第一端板２６１２の第一雌端係合構造２６１６と係止し、かつ第二基板１８１０の第二雄端係合構造１８１６が第二端板２８１２の第二雌端係合構造２８１６と係止し、雄型コネクタ１と雌型コネクタ２との間に余分の固持力が発生して、雄型コネクタ１と雌型コネクタ２との間の挿抜力を向上することができる。
【００２８】
従来の技術に比べて、本考案の雄型信号端子の雄型外当接部端縁と前記雄型はんだ付け部の上表面との間に隙間があり、かつ雄型底接続部は外部に露出するニッケルめっき層を有するため、雄型はんだ付け部において表面実装技術工程を行う際に、隙間によって、はんだが雄型はんだ付け部から雄型外当接部に上ることが防止され、ニッケルめっき層によって、はんだが雄型はんだ付け部から雄型内当接部に上ることが防止されるため、雄型信号端子にはんだ上り現象が起こることを一層有効に防止できる。また、雄型信号端子の雄型内当接部の幅及び雄型外当接部の幅が雄型底接続部の幅より大きいため、雄型内当接部と雌型信号端子の接触面積、又は雄型外当接部と雌型信号端子の接触面積が拡大され、さらに雄型信号端子と雌型信号端子との間の抵抗を低減されるため、雄型信号端子はより高い電流を通すことができる。また、雄型コネクタと雌型コネクタが接合する時、第一雄端係合構造が第一雌端係合構造に係止され、かつ第二雄端係合構造が第二雌端係合構造に係止されて、挿抜力と信頼性を向上させることができる。その他、本考案の雄型固持端子は係止溝と嵌入フィンによって雄型コネクタに固定され、雌型固持端子は挟持溝と嵌入爪部品によって雌型コネクタに固定され、雄型コネクタが雌型コネクタに結合される時、雄型固持端子の雄端係合構造と雌型固持端子の雌端係合構造が係止して、余分の固持力が発生し、雄型コネクタと雌型コネクタが好ましい位置合わせ及び固持効果が得られる。以上は本考案の好ましい実施例に過ぎず、本考案の請求の範囲において行われる同等な変化及び修正はいずれも本考案の範囲に属する。
【符号の説明】
【００２９】
１      雄型コネクタ
１０      雄型絶縁ベース
１０１      第一側壁
１０３      第二側壁
１０５      第一立壁
１０５０      第一立壁頂側
１０５２      第一立壁底側
１０５４      第一立壁内側
１０５６      第一立壁外側
１０７      第二立壁
１０７０      第二立壁頂側
１０７２      第二立壁底側
１０７４      第二立壁内側
１０７６      第二立壁外側
１０９      雄端挿し込み空間
１１１      第一雄端ガイドブロック
１１３      第二雄端ガイドブロック
１１５      第三雄端ガイドブロック
１１７      第四雄端ガイドブロック
１２      第一雄型信号端子組
１２１      第一雄型信号端子
１２１０      第一雄型はんだ付け部
１２１２      第一雄型内当接部
１２１４      第一雄型外当接部
１２１６      第一雄型底接続部
１２１８      第一雄型上接続部
１２２０      第一雄型湾曲部
１２２２      ニッケルめっき層
１４      第二雄型信号端子組
１４１      第二雄型信号端子
１４１０      第二雄型はんだ付け部
１４１２      第二雄型内当接部
１４１４      第二雄型外当接部
１４１６      第二雄型底接続部
１４１８      第二雄型上接続部
１４２０      第二雄型湾曲部
１４２２      ニッケルめっき層
１６      第一雄型固持端子
１６１      第一雄型固持本体
１６１０      第一基板
１６１２      第一係止板
１６１４      第一固持はんだ付け部
１６１６      第一雄端係合構造
１６３      第一嵌入フィン
１６５      第一係止溝
１８      第二雄型固持端子
１８１      第二雄型固持本体
１８１０      第二基板
１８１２      第二係止板
１８１４      第二固持はんだ付け部
１８１６      第二雄端係合構造
１８３      第二嵌入フィン
１８５      第二係止溝
２      雌型コネクタ
２０      雌型絶縁ベース
２０１      内側壁
２０１０      第一内側壁面
２０１２      第二内側壁面
２０１４      第三内側壁面
２０１６      第四内側壁面
２０３      第一外側壁
２０３０      第一外側壁内側
２０３２      第一外側壁外側
２０５      第二外側壁
２０５０      第二外側壁内側
２０５２      第二外側壁外側
２０７      第一外立壁
２０７０      第一外立壁内側
２０７２      第一外立壁外側
２０９      第二外立壁    
２０９０      第二外立壁内側
２０９２      第二外立壁外側
２１１      第一ノッチ
２１２      第二ノッチ
２１３      第一溝
２１４      第二溝
２１５      雌端挿し込み空間
２１６      第一雌端ガイドブロック
２１７      第二雌端ガイドブロック
２１８      第三雌端ガイドブロック
２１９      第四雌端ガイドブロック
２２      第一雌型信号端子組
２２１      第一雌型信号端子
２２１０      第一雌型はんだ付け部
２２１１      第一雌型固持部
２２１２      第一雌型可動部
２２１３      第一雌型開口
２２１４      第一雌型溝口
２２１５      第一雌型弾性アーム
２２１６      第一雌型挟持アーム
２２１７      第一雌型底接続部
２２１８      第一雌型固持係止突起
２４      第二雌型信号端子組
２４１      第二雌型信号端子
２４１０      第二雌型はんだ付け部
２４１１      第二雌型固持部
２４１２      第二雌型可動部
２４１３      第二雌型開口
２４１４      第二雌型溝口
２４１５      第二雌型弾性アーム
２４１６      第二雌型挟持アーム
２４１７      第二雌型底接続部
２４１８      第二雌型固持係止突起
２６      第一雌型固持端子
２６１      第一雌型固持本体
２６１０      第一板体
２６１２      第一端板
２６１４      第一挟持溝
２６１６      第一雌端係合構造
２６３      第一嵌入爪部品
２６３０      第一延伸部              
２６３２      第一湾曲部              
２６３４      第一爪部
２８      第二雌型固持端子
２８１      第二雌型固持本体
２８１０      第二板体
２８１２      第二端板
２８１４      第二挟持溝
２８１６      第二雌端係合構造
２８３      第二嵌入爪部品
２８３０      第二延伸部
２８３２      第二湾曲部
２８３４      第二爪部
Ｇ１、Ｇ２      隙間
Ｗ１、Ｗ２、Ｗ３      幅
【図１】
0003206973.tif 000003
【図２】
0003206973.tif 000004
【図３】
0003206973.tif 000005
【図４】
0003206973.tif 000006
【図５】
0003206973.tif 000007
【図６】
0003206973.tif 000008
【図７】
0003206973.tif 000009
【図８】
0003206973.tif 000010
【図９】
0003206973.tif 000011
【図１０】
0003206973.tif 000012